(57)【要約】【課題】保護カバーの取り付け及び取り外しが容易に行われ、保護カバーをケースにより堅く固定することができる圧縮機の保護カバーの取り付け装置を提供する。【解決手段】本発明による密閉型圧縮機の保護カバーの取り付け装置は、圧縮機ケースの外周面に形成されたターミナル部に取り付けられる電気素子の外郭を取り囲んで保護する保護カバーをケースに着脱可能に取り付けるために、保護カバーの両側外壁上にそれぞれ突設される一対の第１の突起と、保護カバーが取り付けられた状態でケースから最も遠い所に位置する一側外壁上に突設される第２の突起と、ケースに回動可能に取り付けられ、第１の突起及び第２の突起にそれぞれ対応するように形成された加圧部と係止部を有するクランプとを含む。【選択図】　　　図３
2004076719.tif 000002
【特許請求の範囲】
【請求項１】
圧縮機ケースの外周面に形成されたターミナル部に取り付けられる電気素子の外郭を取り囲んで保護する保護カバーを前記ケースに着脱可能に取り付ける取り付け装置であって、
前記保護カバーの両側外壁上にそれぞれ突設される一対の第１の突起と；
前記保護カバーが取り付けられた状態で前記ケースから最も遠い所に位置する前記保護カバーの外壁の外面上に突設される第２の突起と；
前記ケースに回動可能に取り付けられ、前記第１の突起及び第２の突起に対応するように形成された加圧部と係止部を有するクランプ；
とを含み、
前記保護カバーが、前記第２の突起に前記係止部が係止するまで前記クランプが回動することにより前記ケースに固定される時、前記第１の突起が前記加圧部により前記ケース側に加圧されることを特徴とする密閉型圧縮機の保護カバーの取り付け装置。
【請求項２】
前記クランプが、前記ターミナル部に近接する前記ケースの外壁に形成された取り付け孔に両端が旋回可能に結合されるクランプ胴体を含み、
前記クランプ胴体が、所定の大きさの弾性復元力を有する弾性体からなり、その一部が折り曲げられることにより前記加圧部及び係止部が形成されることを特徴とする請求項１に記載の密閉型圧縮機の保護カバーの取り付け装置。
【請求項３】
前記係止部の一部が再度折り曲げられてノブを形成し、
前記ノブが、前記第２の突起に前記係止部が係止している状態で前記第２の突起の両端より外側方向に更に突出するように形成されたことを特徴とする請求項２に記載の密閉型圧縮機の保護カバーの取り付け装置。
【請求項４】
前記電気素子と前記保護カバーとが一体にモジュール化されたことを特徴とする請求項１に記載の密閉型圧縮機の保護カバーの取り付け装置。
【発明の詳細な説明】
【０００１】
【発明の属する技術分野】
本発明は、密閉型圧縮機に関し、より詳しくは、圧縮機のケースに取り付けられる電気素子の外郭を覆って保護する保護カバーをケースに着脱可能に取り付ける保護カバーの取り付け装置に関する。
【０００２】
【従来の技術】
通常、密閉型圧縮機は、冷蔵庫、クーラーなどのように冷凍サイクルがアプリケーションされている機器に冷媒を圧縮するために設けられ、回転モーターと、該回転モーターの回転力により冷媒を圧縮する冷媒圧縮部及びこれらの回転モーターと冷媒圧縮部の外郭を取り囲むケースとを含む。また、前記回転モーターに電源を供給すると共に、該モーターの回転駆動を制御するためのリレー及びオーバーロードプロテクターなどの電気素子がケースの外部のターミナル部に取り付けられる。
【０００３】
図１は、前述したような構成を有する密閉型圧縮機１００の外郭の一部を示す図である。密閉型圧縮機１００は、ケース１１０と、電気素子１４０と、保護カバー１５０及びクランプ１６０とを含む。電気素子１４０は、前記回転モーター（図示せず）を起動するためのリレー１４１と、該回転モーターの過度な駆動を防止するためのオーバーロードプロテクター１４３とを含み、ケース１１０の外周の一側に設けられたターミナル部１２０に取り付けられることでターミナル１２５に接続される。無論、電気素子１４０は、電源コード（図示せず）により外部電源に接続される。
【０００４】
保護カバー１５０は、電気素子１４０の外郭を覆って圧縮機１００の外部から伝わる衝撃と異物から電気素子１４０を保護するためのものであって、その内部に、電気素子１４０を収容するように一側が開放された空間部（図示せず）が形成される。
【０００５】
一方、ケース１１０の外周面には、ターミナル部１２０の外郭縁に沿ってブラケット１３０が突設される。ブラケット１３０は、保護カバー１５０をケース１１０に固定させるためのものであって、左右対称に形成された一対の取り付け孔１３１を有する。この取り付け孔１３１は、保護カバー１５０が取り付けられた状態でクランプ１６０の両端と弾力的にフック結合される。なお、保護カバー１５０をケース１１０側に弾性加圧するために、クランプ１６０は、所定の弾性力を有する弾性体で形成されることが好ましい。
【０００６】
このように構成された従来の圧縮機１００によると、ブラケット１３０にクランプ１６０を結合させることにより保護カバー１５０をケース１１０に着脱可能に取り付けることはできるが、クランプ１６０自体の弾性力によりクランプ１６０の両端をブラケット１３０の取り付け孔１３１に取り付けることが容易ではないという短所がある。また、電気素子１４０の故障時、その取り替えのために保護カバー１５０をケース１１０から取り外さなければならない時には、クランプ１６０とブラケット１３０との結合を分離することが容易ではないという問題点もある。
【０００７】
【発明が解決しようとする課題】
本発明は、前記のような問題点を解決するためになされたものであって、少ない力でも保護カバーの着脱を容易に行うことができると共に、該保護カバーをケースに堅く固定することができるように改良された密閉型圧縮機の保護カバーの取り付け装置を提供することにその目的がある。
【０００８】
【課題を解決するための手段】
前記目的を達成するための本発明による密閉型圧縮機の保護カバーの取り付け装置は、圧縮機ケースの外周面に形成されたターミナル部に取り付けられる電気素子の外郭を取り囲んで保護する保護カバーの両側外壁上にそれぞれ突設される一対の第１の突起と、前記保護カバーの外壁のうち、前記保護カバーの取り付け時に前記ケースと向かい合う、前記ケースから最も遠い所に位置する一側外壁の外面上に突設される第２の突起と、前記ケースに回動可能に取り付けられ、前記第１の突起及び第２の突起に対応するように形成された加圧部と係止部を有するクランプ、とを含む。
【０００９】
これによると、クランプさえ回動させれば保護カバーをケースに取り付けたり、ケースから取り外したりすることができるため、該保護カバーの着脱が容易になり、保護カバーの第１の突起がクランプの加圧部により前記ケース側に加圧されることにより、保護カバーがケースにより堅く固定される。
【００１０】
本発明の好ましい実施の形態によると、前記クランプが、前記ターミナル部に近接する前記ケースの外壁に形成された取り付け孔に両端が旋回可能に結合されるクランプ胴体を含み、前記クランプ胴体が、所定の大きさの弾性復元力を有する弾性体からなり、その一部が折り曲げられることにより前記加圧部及び係止部が形成されることが好ましい。
【００１１】
また、前記係止部の一部が再度折り曲げられてノブを形成し、前記ノブが、前記第２の突起に前記係止部が係止している状態で前記第２の突起の両端より外側方向に更に突出するように形成されることが好ましい。
【００１２】
一方、本発明の他の実施の形態による密閉型圧縮機の保護カバーの取り付け装置は、前記電気素子と前記保護カバーとが一体にモジュール化された場合でもそのアプリケーションが可能である。
【００１３】
【発明の実施の形態】
以下では、本発明の好ましい実施の形態を添付した図面を参照して詳細に説明する。一方、本発明の実施の形態を説明するにおいて、図１に示した前述の従来の密閉型圧縮機の構成要素と同一の構成及び機能を有する構成要素に対しては従来と同一の図面符号を付しその詳細な説明を省略する。
【００１４】
図２及び図３は、本発明の一実施の形態による密閉型圧縮機１００を示す図であって、同図によると、圧縮機１００は、回転モーター（図示せず）及び冷媒圧縮部（図示せず）を内蔵するケース１１０と、ケース１１０の外面に取り付けられる電気素子１４０と、電気素子１４０の外郭を覆うようにケース１１０に取り付けられる保護カバー１７０と、該保護カバー１７０をケース１１０に着脱可能に取り付けるための保護カバーの取り付け装置とを含む。
【００１５】
ケース１１０の外周には、複数のターミナル１２５を有するターミナル部１２０が形成される。ターミナル１２５は、ケース１１０に内蔵された回転モーターと電気的に接続される。かかるターミナル部１２０にリレー１４１と、オーバーロードプロテクター１４３などを含む電気素子１４０が取り付けられる。本実施の形態における電気素子１４０は、リレー１４１と、オーバーロードプロテクター１４３とを含む形態を一例に挙げて説明したが、電気素子１４０の種類と部品点数及び取り付け形態は、圧縮機１００の種類に応じて異なり得る。
【００１６】
保護カバー１７０は、ターミナル部１２０に取り付けられた電気素子１４０の外郭を覆うようにケース１１０に着脱可能に取り付けられる。
【００１７】
かかる構成を有する密閉型圧縮機１００は、保護カバー１７０をケース１１０に着脱可能に取り付けるための保護カバー取り付け装置として、ケース１１０のブラケット１３５に旋回可能に結合されるクランプ１８０と、ブラケット１３５と、第１及び第２の突起１７１、１７３とを含む。
【００１８】
クランプ１８０は、クランプ胴体１８１と、係止部１８５と、加圧部１８３とを含む。
【００１９】
クランプ胴体１８１は、所定の大きさの弾性復元力を有し、保護カバー１７０の取り付け時に該保護カバー１７０の周りを取り囲む形状で形成されるように、クランプ胴体１８１の一部が折り曲げられる。また、クランプ胴体１８１の両端は、ケース１１０の外周面上にターミナル部１２０に近接して突設されたブラケット１３５の取り付け孔１３７に旋回可能に結合される。これにより、クランプ胴体１８１は、ケース１１０に回動可能に取り付けられる。なお、クランプ１８０の太さ及び弾性力は、ユーザが保護カバー１７０の取り付けのために操作するに当たって保護カバー１７０のケース１１０への取り付け、またはケース１１０からの取り外しが容易な大きさであればよい。
【００２０】
第１及び第２の突起１７１、１７３は、保護カバー１７０の外壁上に突設される。第１の突起１７１は、保護カバー１７０の左右両側壁に突設され、第２の突起１７３は、保護カバー１７０が取り付けられた時、ケース１１０から最も遠い所に位置することにより、該内面がケース１１０と向かい合う保護カバー１７０の外壁の外面から突設される。
【００２１】
かかる第１及び第２の突起１７１、１７３のそれぞれに対応するように、クランプ１８０には、加圧部１８３と係止部１８５が形成される。加圧部１８３は、保護カバー１７０の取り付け時にクランプ１８０が回動することにより第１の突起１７１をケース１１０方向に加圧する。係止部１８５は、クランプ１８０が保護カバー１７０の取り付けのために回動すると、第２の突起１７３の下面に係止するようにクランプ胴体１８１上に形成される。本実施の形態における加圧部１８３と係止部１８５は、クランプ胴体１８１の一部が折り曲げられることにより形成される。
【００２２】
一方、クランプ１８０は、係止部１８５の中央部が突出するように再度折り曲げられて形成されたノブ１８７を含む。ノブ１８７の突出長さは、図２に示したように、第２の突起１７３に係止部１８５が係止している状態でノブ１８７が第２の突起１７３の両端より更に外部に突出する長さで形成されることが好ましい。
【００２３】
一方、クランプ１８０は、必ずしも本実施の形態の場合に限定されない。即ち、金属ワイヤで形成されたクランプ胴体１８１の一部が折り曲げられることにより形成される係止部１８５と加圧部１８３が保護カバー１７０の外周に形成された第１及び第２の突起１７１、１７３の突出形状及び位置に対応して種々の形態で形成してもよい。無論、加圧部１８３と、係止部１８５が、クランプ胴体１８１を折り曲げずに別の部材（図示せず）をクランプ胴体１８１に結合することにより形成することもできる。また、本実施の形態とは異なって、クランプ１８０を上下に動かずに横方向に動くようにケース１１０に取り付けることもでき、このとき、保護カバー１７０の第１及び第２の突起１７１、１７３は、クランプ１８０の加圧部１８３及び係止部１８５のそれぞれに対応するように形成さえすれば、本実施の形態と同じ機能を遂行することができる。
【００２４】
以下では、本発明の一実施の形態による密閉型圧縮機の保護カバー及び電気素子を取り付ける方法を、図３ないし図７を参照して説明する。
【００２５】
先ず、図３に示したように、ノブ１８７が圧縮機１００の上方に向くようにクランプ胴体１８１をブラケット１３５に旋回可能に結合させる。その後、リレー１４１及びオーバーロードプロテクター１４３のような電気素子１４０をターミナル部１２０のターミナル１２５に取り付ける。かかる電気素子１４０とクランプ１８０の取り付け順番は逆順に行ってもよい。
【００２６】
上述した如く、クランプ１８０と電気素子１４０をケース１１０に取り付けた後には、電気素子１４０の外部を保護カバー１７０にて覆う。かかる過程が終わった後の状態を図４に示す。
【００２７】
保護カバー１７０が電気素子１４０を覆うようにケース１１０に取り付けられると、図４に示した矢印方向にクランプ１８０を回動させる。かかるクランプ１８０の回動は、加圧部１８３が第１の突起１７１と接触することでそれ以上クランプ１８０が下方に回動できなくなるまで行われる。
【００２８】
加圧部１８３と第１の突起１７１との接触によりクランプ１８０がそれ以上回動しなくなると、クランプ１８０のノブ１８７を、図５に示した矢印方向と同じ方向に引っ張ってノブ１８７及び係止部１８５を第２の突起１７３の端より外部に位置させる。このようにノブ１８７を引っ張ることにより、図６に示したように、クランプ胴体１８１の一部が所定の形状に弾性変形を起こし、クランプ胴体１８１の内部には、所定の大きさの弾性復元力が生じる。かかる弾性復元力は、その多くが第１の突起１７１と接触している加圧部１８３に伝わり、これにより、第１の突起１７１は、加圧部１８３によりケース１１０方向に弾性加圧される。
【００２９】
係止部１８５が第２の突起１７３の端より外部に位置すると、クランプ１８０を下方に更に回動させて係止部１８５を第２の突起１７３の下部に位置させた後、ノブ１８７に働く外力を除去する。このようにノブ１８７に働く外力を除去することにより、係止部１８５は、図７に示したように、既に弾性変形されたクランプ胴体１８１の弾性復元力により第２の突起１７３の下部に進入した後に該第２の突起１７３の下面に接触する。
【００３０】
これにより、保護カバー１７０は、クランプ１８０の係止部１８５及び加圧部１８３により第２及び第１の突起１７３、１７１のそれぞれがケース１１０側に加圧されることにより、ケース１１０に固定可能になる。かかる保護カバー１７０の取り付け方法は、保護カバー１７０をケース１１０上の定位置に位置決めした後、単にクランプ１８０を回動させるだけで済むため、作業者の手間を省くことができ、従来の場合よりは圧縮機１００の組立及び取り外しが容易に行えるようにする。
【００３１】
一方、保護カバー１７０をケース１１０から取り外す方法は、前述した方法と逆の順番で行えばよいので、ここでは、その詳細な説明を省略する。
【００３２】
図８は、本発明の他の実施の形態による密閉型圧縮機１００を示した図である。本実施の形態による密閉型圧縮機１００のケース１１０には、前述した実施の形態における保護カバー１７０と、リレー１４１及びオーバーロードプロテクター１４３とが一体にして形成されモジュール化されたまた他の形態の電気素子１９０が取り付けられる。しかし、かかる場合でも、電気素子１４０の外郭に第１及び第２の突起１９１、１９３が形成され、クランプ１８０にこれらの突起１９１、１９３を加圧することができる加圧部１８３と係止部１８５が形成されれば、前述した実施の形態と同一の方法にて電気素子１４０をケース１１０に着脱可能に取り付けることができる。
【００３３】
以上で説明したように、本発明によると、クランプ１８０をケース１１０上で回動させるといった簡単な操作で保護カバー１７０（図３参照）またはモジュール化された電気素子１９０をケース１１０に簡単に取り付けることができる。
【００３４】
また、クランプ１８０を下方に回動させ、保護カバー１７０が完全に取り付けられた状態で、クランプ１８０の加圧部１８３が保護カバー１７０の第１の突起１７１、１９１をケース１１０方向に更に加圧することができるようになり、保護カバー１７０をより堅くケース１１０に取り付けることができるという効果も奏する。
【図面の簡単な説明】
【図１】従来の密閉型圧縮機を示す分離斜視図である。
【図２】本発明の実施の形態による保護カバーの取り付け装置がアプリケーションされた密閉型圧縮機を示す斜視図である。
【図３】本発明の実施の形態による保護カバーの取り付け装置がアプリケーションされた密閉型圧縮機を示す分離斜視図である。
【図４】本発明の実施の形態による保護カバーの取り付け装置の作動状態を示す側面図である。
【図５】本発明の実施の形態による保護カバーの取り付け装置の作動状態を示す側面図である。
【図６】本発明の実施の形態による保護カバーの取り付け装置の作動状態を示す側面図である。
【図７】本発明の実施の形態による保護カバーの取り付け装置の作動状態を示す側面図である。
【図８】本発明の他の実施の形態による密閉型圧縮機を示す分離斜視図である。
【符号の説明】
１００　圧縮機
１１０　ケース
１２０　ターミナル部
１３５　ブラケット
１４０、１９０　電気素子
１７０　保護カバー
１７１、１９１　第１の突起
１７３、１９３　第２の突起
１８０　クランプ
１８１　クランプ胴体
１８３　加圧部
１８５　係止部
１８７　ノブ
【図１】
2004076719.tif 000003
【図２】
2004076719.tif 000004
【図３】
2004076719.tif 000005
【図４】
2004076719.tif 000006
【図５】
2004076719.tif 000007
【図６】
2004076719.tif 000008
【図７】
2004076719.tif 000009
【図８】
2004076719.tif 000010